(57)【要約】【課題】映像信号が映像信号線を経て差動伝送方式で伝送されるときに、配線クロストークによる伝送エラーが回避される画像表示装置を提供する。【解決手段】表示制御手段（たとえば、タイミングコントローラ２４）で生成された入力信号ｖａに基づいて、データ信号伝送線（映像信号線１５）を構成する各信号線の間の配線クロストークによる影響の度合いが所定のタイミング（たとえば、１フレーム期間、１クロック期間、又は１水平期間）毎に判定され、この判定結果に基づいて、データ信号ｖｊの電圧振幅が、データ線駆動回路（データドライバ１３1 ，１３2 ，…，１３M ，１３M+1 ）入力振幅規格よりも所定の値だけ上回るように調整される。【選択図】図１
2011043775.tif 000002
【特許請求の範囲】
【請求項１】
表示パネルと、
与えられたデータ信号に基づいて前記表示パネルを駆動する駆動手段と、
前記データ信号を伝送するためのデータ信号伝送線と、
与えられた映像信号に基づいて前記データ信号を生成して前記データ信号伝送線を経て送出する表示制御手段とを有する画像表示装置であって、
前記駆動手段は、
該駆動手段が正常に動作するための前記データ信号の電圧振幅の最小限の基準となる入力振幅規格が設定され、
前記表示制御手段は、
前記データ信号伝送線を構成する各信号線の間の配線クロストークによる影響の度合いを判定し、この判定結果に基づいて、前記データ信号の電圧振幅を、前記入力振幅規格よりも所定の値だけ上回るように調整する電圧振幅調整手段が設けられていることを特徴とする画像表示装置。
【請求項２】
前記表示パネルは、
所定列のデータ線、所定行の走査線、及び前記各データ線と前記各走査線との交差箇所に設けられている画素を有し、
前記駆動手段は、
与えられた第１の制御信号に基づいて、与えられたデータ信号に基づく画素データを前記各データ線に書き込むデータ線駆動回路と、
与えられた第２の制御信号に基づいて、前記各走査線を所定の順序で駆動するための走査線駆動信号を出力する走査線駆動回路とから構成され、
前記データ信号伝送線は、
前記データ信号を差動伝送方式で伝送する構成とされ、
前記表示制御手段は、
与えられた映像信号に基づいて、前記データ線駆動回路に入力可能な入力信号を生成し、該データ線駆動回路に、前記第１の制御信号を与えると共に前記入力信号の電圧振幅を設定して前記データ信号として前記データ信号伝送線を経て送出する一方、前記走査線駆動回路に前記第２の制御信号を与える構成とされ、
前記データ線駆動回路は、
該データ線駆動回路が正常に動作するための前記データ信号の電圧振幅の最小限の基準となる入力振幅規格が設定され、
前記電圧振幅調整手段は、
前記表示制御手段で生成された前記入力信号に基づいて、前記データ信号伝送線を構成する各信号線の間の配線クロストークによる影響の度合いを所定のタイミング毎に判定し、この判定結果に基づいて、前記データ信号の電圧振幅を、前記入力振幅規格よりも所定の値だけ上回るように調整する構成とされていることを特徴とする請求項１記載の画像表示装置。
【請求項３】
前記データ信号伝送線は、
少なくとも前記映像信号の階調レベルの最大値に対応する数の信号線を有し、前記差動伝送方式に対応する互いに逆位相の前記データ信号を伝送する２本の隣接する前記信号線を１組の信号線組として、互いに隣接するように構成され、
前記電圧振幅調整手段は、
前記表示制御手段で生成された前記入力信号に基づいて、隣接する前記信号線組の間の配線クロストークによる影響の度合いを所定のタイミング毎に判定し、この判定結果に基づいて、前記データ信号の電圧振幅を、前記入力振幅規格よりも所定の値だけ上回るように調整する構成とされていることを特徴とする請求項２記載の画像表示装置。
【請求項４】
前記電圧振幅調整手段は、
前記データ信号の電圧振幅を、前記入力振幅規格を上回る近傍の値に調整する構成とされていることを特徴とする請求項１、２又は３記載の画像表示装置。
【請求項５】
前記電圧振幅調整手段は、
隣接する前記信号線組の前記各信号線に伝送される前記各データ信号の論理レベルが異なる状態のとき、該論理レベルが同一になる状態のときと比較して、前記データ信号の電圧振幅を大きい値に調整する構成とされていることを特徴とする請求項３又は４記載の画像表示装置。
【請求項６】
前記電圧振幅調整手段は、
前記入力信号に基づいて、隣接する前記信号線組の間の配線クロストークによる影響の度合いを所定のタイミング毎に判定する入力信号判定部と、
該入力信号判定部による判定結果に基づいて、前記データ信号の電圧振幅を、前記入力振幅規格よりも所定の値だけ上回るように制御する伝送電圧振幅制御部と、
該伝送電圧振幅制御部で電圧振幅が制御された前記データ信号を、前記データ信号伝送線を経て前記データ線駆動回路へ送出するデータ信号出力部とから構成されていることを特徴とする請求項３、４又は５記載の画像表示装置。
【請求項７】
前記入力信号判定部は、
隣接する前記信号線組の間の配線クロストークによる影響の度合いを前記入力信号に基づいて所定のタイミング毎に判定するための判定条件があらかじめ記憶され、
前記伝送電圧振幅制御部は、
前記データ信号の電圧振幅を制御するための複数の制御用電圧振幅値があらかじめ保持され、
前記データ信号の電圧振幅を、前記入力信号判定部による判定結果に基づいて、前記制御用電圧振幅値から選択して設定する電圧振幅値選択手段を有することを特徴とする請求項６記載の画像表示装置。
【請求項８】
前記入力信号判定部は、
前記判定条件を記憶する記憶手段を有し、該記憶手段が当該入力信号判定部に対して着脱可能な構成とされていることを特徴とする請求項７記載の画像表示装置。
【請求項９】
前記伝送電圧振幅制御部は、
前記入力信号判定部による判定結果に基づいて、前記データ信号の電圧振幅を連続的に制御する電圧振幅値可変手段を有することを特徴とする請求項６記載の画像表示装置。
【請求項１０】
前記データ信号伝送線を経て伝送される前記データ信号の前記データ線駆動回路の直近の電圧振幅である実効電圧振幅を検出し、該実効電圧振幅の値を実効電圧振幅値として出力する実効電圧振幅検出部が設けられ、
前記電圧振幅調整手段は、
前記実効電圧振幅検出部から出力される前記実効電圧振幅値が前記入力振幅規格よりも上回るか下回るかを所定のタイミング毎に判定する実効電圧振幅判定部と、
該実効電圧振幅判定部による判定結果に基づいて、前記データ信号の電圧振幅を、前記入力振幅規格よりも所定の値だけ上回るように制御する伝送電圧振幅制御部と、
該伝送電圧振幅制御部で電圧振幅が制御された前記データ信号を、前記データ信号伝送線を経て前記データ線駆動回路へ送出するデータ信号出力部とから構成されていることを特徴とする請求項１、２、３、４又は５記載の画像表示装置。
【請求項１１】
前記実効電圧振幅検出部は、
前記データ線駆動回路の近傍に配置されて前記実効電圧振幅を検出し、該実効電圧振幅の値をアナログ／デジタル変換してデジタルの前記実効電圧振幅値を出力する構成とされていることを特徴とする請求項１０記載の画像表示装置。
【請求項１２】
前記配線クロストークによる影響の度合いは、
前記データ信号伝送線を経て伝送される前記データ信号の電圧振幅の減衰の度合いであることを特徴とする請求項１乃至１１のいずれか一に記載の画像表示装置。
【請求項１３】
表示パネルと、
与えられたデータ信号に基づいて前記表示パネルを駆動する駆動手段と、
前記データ信号を伝送するためのデータ信号伝送線と、
与えられた映像信号に基づいて前記データ信号を生成して前記データ信号伝送線を経て送出する表示制御手段とを有する画像表示装置に用いられる映像信号処理方法であって、
前記駆動手段は、該駆動手段が正常に動作するための前記データ信号の電圧振幅の最小限の基準となる入力振幅規格が設定され、
前記表示制御手段では、
電圧振幅調整手段が、前記データ信号伝送線を構成する各信号線の間の配線クロストークによる影響の度合いを判定し、この判定結果に基づいて、前記データ信号の電圧振幅を、前記入力振幅規格よりも所定の値だけ上回るように調整する電圧振幅調整処理を行うことを特徴とする映像信号処理方法。
【請求項１４】
前記表示パネルは、所定列のデータ線、所定行の走査線、及び前記各データ線と前記各走査線との交差箇所に設けられている画素を有し、
前記駆動手段は、与えられた第１の制御信号に基づいて、与えられたデータ信号に基づく画素データを前記各データ線に書き込むデータ線駆動回路と、与えられた第２の制御信号に基づいて、前記各走査線を所定の順序で駆動するための走査線駆動信号を出力する走査線駆動回路とから構成され、
前記データ信号伝送線は、前記データ信号を差動伝送方式で伝送する構成とされ、
前記表示制御手段は、与えられた映像信号に基づいて、前記データ線駆動回路に入力可能な入力信号を生成し、該データ線駆動回路に、前記第１の制御信号を与えると共に前記入力信号の電圧振幅を設定して前記データ信号として前記データ信号伝送線を経て送出する一方、前記走査線駆動回路に前記第２の制御信号を与える構成とされ、
前記データ線駆動回路は、該データ線駆動回路が正常に動作するための前記データ信号の電圧振幅の最小限の基準となる入力振幅規格が設定され、
前記電圧振幅調整処理では、
前記表示制御手段で生成された前記入力信号に基づいて、前記データ信号伝送線を構成する各信号線の間の配線クロストークによる影響の度合いを所定のタイミング毎に判定し、この判定結果に基づいて、前記データ信号の電圧振幅を、前記入力振幅規格よりも所定の値だけ上回るように調整することを特徴とする請求項１３記載の映像信号処理方法。
【請求項１５】
前記データ信号伝送線は、少なくとも前記映像信号の階調レベルの最大値に対応する数の信号線を有し、前記差動伝送方式に対応する互いに逆位相の前記データ信号を伝送する２本の隣接する前記信号線を１組の信号線組として、互いに隣接するように構成され、
前記電圧振幅調整処理では、
前記表示制御手段で生成された前記入力信号に基づいて、隣接する前記信号線組の間の配線クロストークによる影響の度合いを所定のタイミング毎に判定し、この判定結果に基づいて、前記データ信号の電圧振幅を、前記入力振幅規格よりも所定の値だけ上回るように調整することを特徴とする請求項１４記載の映像信号処理方法。
【請求項１６】
前記電圧振幅調整処理では、
前記データ信号の電圧振幅を、前記入力振幅規格を上回る近傍の値に調整することを特徴とする請求項１３、１４又は１５記載の映像信号処理方法。
【請求項１７】
前記電圧振幅調整処理では、
隣接する前記信号線組の前記各信号線に伝送される前記各データ信号の論理レベルが異なる状態のとき、該論理レベルが同一になる状態のときと比較して、前記データ信号の電圧振幅を大きい値に調整することを特徴とする請求項１５又は１６記載の映像信号処理方法。
【請求項１８】
前記電圧振幅調整処理では、
入力信号判定部が、前記入力信号に基づいて、隣接する前記信号線組の間の配線クロストークによる影響の度合いを所定のタイミング毎に判定する入力信号判定処理と、
伝送電圧振幅制御部が、前記入力信号判定部による判定結果に基づいて、前記データ信号の電圧振幅を、前記入力振幅規格よりも所定の値だけ上回るように制御する伝送電圧振幅制御処理と、
データ信号出力部が、前記伝送電圧振幅制御部で電圧振幅が制御された前記データ信号を、前記データ信号伝送線を経て前記データ線駆動回路へ送出するデータ信号出力処理とを行うことを特徴とする請求項１５、１６又は１７記載の映像信号処理方法。
【請求項１９】
前記入力信号判定部が、隣接する前記信号線組の間の配線クロストークによる影響の度合いを前記入力信号に基づいて所定のタイミング毎に判定するための判定条件をあらかじめ記憶し、
前記伝送電圧振幅制御部が、前記データ信号の電圧振幅を制御するための複数の制御用電圧振幅値をあらかじめ保持し、
電圧振幅値選択手段が、前記データ信号の電圧振幅を、前記入力信号判定部による判定結果に基づいて、前記制御用電圧振幅値から選択して設定する電圧振幅値選択処理を行うことを特徴とする請求項１８記載の映像信号処理方法。
【請求項２０】
前記入力信号判定部に、前記判定条件を記憶する記憶手段を設け、該記憶手段が当該入力信号判定部に対して着脱可能とすることを特徴とする請求項１９記載の映像信号処理方法。
【請求項２１】
前記伝送電圧振幅制御処理では、
電圧振幅値可変手段が、前記入力信号判定部による判定結果に基づいて、前記データ信号の電圧振幅を連続的に制御することを特徴とする請求項１８記載の映像信号処理方法。
【請求項２２】
前記データ信号伝送線を経て伝送される前記データ信号の前記データ線駆動回路の直近の電圧振幅である実効電圧振幅を検出し、該実効電圧振幅の値を実効電圧振幅値として出力する実効電圧振幅検出部を設けておき、
前記電圧振幅調整処理では、
実効電圧振幅判定部が、前記実効電圧振幅検出部から出力される前記実効電圧振幅値が前記入力振幅規格よりも上回るか下回るかを所定のタイミング毎に判定する実効電圧振幅判定処理と、
伝送電圧振幅制御部が、前記実効電圧振幅判定部による判定結果に基づいて、前記データ信号の電圧振幅を、前記入力振幅規格よりも所定の値だけ上回るように制御する伝送電圧振幅制御処理と、
データ信号出力部が、前記伝送電圧振幅制御部で電圧振幅が制御された前記データ信号を、前記データ信号伝送線を経て前記データ線駆動回路へ送出するデータ信号出力処理とを行うことを特徴とする請求項１３、１４、１５、１６又は１７記載の映像信号処理方法。
【請求項２３】
前記実効電圧振幅検出部が、前記データ線駆動回路の近傍に配置されて前記実効電圧振幅を検出し、該実効電圧振幅の値をアナログ／デジタル変換してデジタルの前記実効電圧振幅値を出力することを特徴とする請求項２２記載の映像信号処理方法。
【請求項２４】
前記配線クロストークによる影響の度合いは、前記データ信号伝送線を経て伝送される前記データ信号の電圧振幅の減衰の度合いであることを特徴とする請求項１３乃至２３のいずれか一に記載の映像信号処理方法。
【発明の詳細な説明】
【技術分野】
【０００１】
この発明は、画像表示装置及び該画像表示装置に用いられる映像信号処理方法に係り、たとえば、液晶表示装置やプラズマ表示装置などのように、映像信号が映像信号線を経て差動伝送方式でデータドライバへ伝送される場合に適用して好適な画像表示装置及び該画像表示装置に用いられる映像信号処理方法に関する。
【背景技術】
【０００２】
液晶表示装置やプラズマ表示装置など、薄型の画像表示装置では、近年における大画面化に伴い、装置内での映像信号の伝送距離が長くなり、また、表示パネルの解像度の高精細化により、映像信号の伝送データ量が増加しているため、配線の多量化、及び伝送速度の高速化が要求されている。この場合、ＥＭＩ（Electro Magnetic Interference 、電磁妨害）特性の劣化や、映像信号を正確に伝送するための条件が厳しくなる一方、省電力化や省スペース化が要求されるため、内部回路の省電力化や基板などの回路部品の小型化及び高密度化も実現しなければならない。このため、近年の画像表示装置では、映像信号を伝送する方式として、映像信号線の数が低減される差動伝送方式を用いる構成が主流となっている。
【０００３】
また、入力される映像信号は、種々の信号があり、表示パネル向けの映像信号を伝送する基板上では、互いに隣接する配線で伝送される映像信号が逆極性（たとえば、“１”と“０”）であるように、配線クロストークの影響を受けやすい映像信号が入力されると、映像信号の実効電圧振幅が小さくなり、その実効電圧振幅がデータドライバが正常に動作するための最小限の基準となる入力振幅規格を下回ると、表示画面のちらつきなど、表示ノイズが発生する。この状態を回避するために、データドライバの入力振幅規格に対して実効電圧振幅が充分大きくなるように、映像信号を出力するタイミングコントローラの出力電圧振幅をあらかじめ大きく設定しておくと、消費電力が増加し、さらにＥＭＩも悪化するというトレードオフの弊害が生じる。一方、配線クロストークを受けても互いに干渉し合わない程の充分な配線間隔、あるいは充分なグラウンド配線を設けると、基板の面積も大きくする必要があり、装置全体の小型化を妨げるだけでなく、コストも増加するという弊害が生じる。
【０００４】
この種の関連技術としては、たとえば、図７に示す画像表示装置がある。
この画像表示装置は、同図７に示すように、表示パネル１と、走査ドライバ２と、データドライバ３と、タイミングコントローラ４と、映像信号線５とから構成されている。タイミングコントローラ４には、データ信号出力部４ａが設けられている。表示パネル１は、たとえば液晶パネルで構成され、所定行の走査線１ａ、所定列のデータ線１ｂ、及び同走査線１ａと同データ線１ｂとの交差箇所に設けられている図示しない画素を有している。データドライバ３は、表示パネル１のデータ線１ｂを駆動する。タイミングコントローラ４から与えられた制御信号ｃｔ１に基づいて、与えられたデータ信号ｖｊに基づく画素データを各データ線１ｂに書き込む。
【０００５】
走査ドライバ２は、タイミングコントローラ４から与えられた制御信号ｃｔ２に基づいて、表示パネル１の各走査線１ａを所定の順序（たとえば、線順次）で駆動するための走査線駆動信号を出力する。タイミングコントローラ４は、外部から与えられた映像信号ｖｉに基づいて、データドライバ３に入力可能な入力信号を生成し、同データドライバ３に、制御信号ｃｔ１を与えると共に上記入力信号の電圧振幅を設定してデータ信号出力４ａからデータ信号ｖｊとして映像信号線５を経て送出する一方、走査ドライバ２に制御信号ｃｔ２を与える。映像信号線（データ信号伝送線）５は、データ信号ｖｊを差動伝送方式で伝送するためのものであり、少なくとも映像信号ｖｉの階調レベルの最大値に対応する数、すなわち、最大値を２進数で表し、それをＲＳＤＳ（Reduced Swing Differential Signaling、液晶パネル向けデジタル・インタフェース技術の一つ）伝送フォーマットに当てはめたときの必要な数の信号線を有し、差動伝送方式に対応する互いに逆位相のデータ信号ｖｊを伝送する２本の隣接する信号線を１組（ペア）の信号線組として、互いに隣接するように構成されている。
【０００６】
図８は、ＲＳＤＳ信号の伝送フォーマットについて説明する図である。
たとえば８ビットのＲＳＤＳ信号の伝送フォーマットは、同図８に示すように、４ペアの伝送信号（差動信号は＋側と−側で１ペアが構成されるため、伝送信号は全部で８本となる）で構成され、伝送クロックＣＬＫの立下がり及び立上がりでデータがラッチされる。伝送されるデータ信号ｖｊの階調が、たとえば１９８階調の場合、この１９８階調は、２進数で“１１０００１１０”となり、実際の波形は“ＨＨＬＬＬＨＨＬ”のビット配列となる。このビット配列をＲＳＤＳ伝送フォーマットに適用すると、同図８に示すような配列となる。なお、伝送信号Ｄ（０）は、ＬＳＢ（Least Significant Bit 、最下位ビット）、及び、伝送信号Ｄ（７）が、ＭＳＢ（Most Significant Bit、最上位ビット）である。上記図７中の映像信号ｖｉが、たとえば８ビットであれば、階調レベルの最大値は２５５階調であり、２進数で表すと“１１１１１１１１”となり、これをＲＳＤＳ伝送フォーマットに当てはめると、図８に示すように、１クロックに対してダブルエッジでデータをラッチするため、４ペア必要であり、また、差動信号のため、映像信号線５は、＋側及び−側の計８本必要となる。なお、他の差動伝送方式（たとえば、ｍｉｎｉ−ＬＶＤＳなど）でも、同様に伝送フォーマットに当てはめることにより、必要な信号線の数が決まる。
【０００７】
図７の画像表示装置では、映像信号ｖｉがタイミングコントローラ４に入力され、同映像信号ｖｉがデータドライバ３に入力可能な信号に並び替えられ、同タイミングコントローラ４のデータ信号出力部４ａにより伝送電圧の振幅が設定されてデータ信号ｖｊが出力されると共に、その発生タイミング信号、データドライバ３に対する水平基準信号（制御信号ｃｔ１）、及び走査ドライバ２に対する垂直基準信号（制御信号ｃｔ２）などが生成される。伝送電圧の振幅が設定されたデータ信号ｖｊは、差動伝送方式に対応した映像信号線５を経てデータドライバ３に伝送される。そして、表示パネル１にて、映像信号ｖｉに対応した画像が表示される。
【０００８】
ここで、映像信号ｖｉは、タイミングコントローラ４にて、データドライバ３を駆動するためのデータ信号ｖｊに並び替えが行われるが、この場合、データ信号ｖｊは、所定の伝送フォーマットに従って映像信号線５を経て伝送される。この伝送フォーマットは、たとえば、８ビットのＲＳＤＳ信号に対応している。ＲＳＤＳ信号に対応するデータ信号ｖｊは、デジタル信号（高レベルを“Ｈ”、低レベルを“Ｌ”、及び、“Ｈ”を“１”、“Ｌ”を“０”で表す）であり、かつ差動信号である。この差動信号であるデータ信号ｖｊが伝送される映像信号線５では、＋極性の映像信号線と−極性の映像信号線との２本の映像信号線で１組（ペア）が構成されている。そして、差動信号は、それぞれの極性の電位がデータ信号ｖｊの基準電位よりも大きい場合に“Ｈ”信号、及びデータ信号ｖｊの基準電位よりも小さい場合に“Ｌ”信号となる。さらに、＋極性の映像信号の電位から−極性の映像信号の電位を差し引いた電位が＋（プラス）の電位である場合に差動信号として“Ｈ”信号となり、一方、＋極性の映像信号の電位から−極性の映像信号の電位を差し引いた電位が−（マイナス）の電位である場合、差動信号として“Ｌ”信号となる。また、差動伝送方式では、データ信号ｖｊの伝送クロックも差動信号になっている。
【０００９】
図９は、映像信号線５を経て伝送されるデータ信号ｖｊの波形の例を示す図である。
ＲＳＤＳ信号は、差動信号であり、図９に示すように、＋極性の映像信号線上の映像信号ＤＡＴＡ（＋）と、−極性の映像信号線上の映像信号ＤＡＴＡ（−）とがペアとなって、“Ｈ”又はＬ”の極性が決まる。たとえば、映像信号の基準電位が１．１Ｖ、映像信号ＤＡＴＡ（＋）が１．２Ｖ、及び映像信号ＤＡＴＡ（−）が１．０Ｖである場合、差動信号の値は＋２００ｍＶとなり、“Ｈ”レベルとなる。また、映像信号の基準電位が１．１Ｖ、映像信号ＤＡＴＡ（＋）が１．０Ｖ、及び映像信号ＤＡＴＡ（−）が１．２Ｖである場合、差動信号の値は−２００ｍＶとなり、Ｌ”レベルとなる。このとき、データドライバ３で“Ｈ”レベルを認識するためには、差動信号の＋２００ｍＶの値が同データドライバ３の“Ｈ”レベルの規格値を超えている必要があり、同様に、“Ｌ”レベルを認識するためには、−２００ｍＶの値が同データドライバ３の“Ｌ”レベルの規格値を超えている必要がある。
【００１０】
また、入力された映像信号ｖｉが、たとえば１７９階調の場合、デジタル信号は、“ＨＬＨＨＬＬＨＨ”（“１０１１００１１”）となり、これがＲＳＤＳ信号の伝送フォーマットに従って配列され、図９中の階調パターン［１］に示す配列となる。また、映像信号ｖｉが、たとえば１４０階調の場合、デジタル信号は、“ＨＬＬＬＨＨＬＬ”（“１０００１１００”）となり、これがＲＳＤＳ伝送フォーマットに従って配列され、図９中の階調パターン［２］に示す配列となる。
【００１１】
図１０及び図１１は、隣接する映像信号線を経て伝送されるデータ信号ｖｊから受ける配線クロストークの影響を示す模式図である。
同図１０及び図１１では、ある１本の映像信号線上の伝送電圧振幅が、その隣に隣接する映像信号線上のデジタル信号から受ける影響が示されている。デジタル信号のパターンは、“Ｈ”，“Ｌ”で表されている。すなわち、図１０では、図９中のデータ信号ｖｊの波形の模式図の１ペア目と２ペア目を抽出して同１ペア目のＤＡＴＡ（＋）に着目し、隣接する配線上の映像信号から受ける影響が示されている。また、図１１では、データ信号ｖｊの階調パターンが図１０とは異なる例が示されている。ここで、図１０中の隣接パターン［１］では、着目している映像信号線の１ペア目の映像信号ＤＡＴＡ（＋）の隣に２ペア目の映像信号ＤＡＴＡ（−）が存在し、その極性は“Ｈ”であり、映像信号ＤＡＴＡ（＋）の極性と同極性となっている。また、同様に、隣接パターン［２］では、着目している映像信号線の映像信号ＤＡＴＡ（＋）の極性が“Ｌ”であり、２ペア目のＤＡＴＡ（−）の極性も“Ｌ”であり、同極性となっている。
【００１２】
一方、図１１中の隣接パターン［３］では、着目している映像信号線の映像信号ＤＡＴＡ（＋）の極性が“Ｈ”である一方、隣接する２ペア目の映像信号ＤＡＴＡ（−）の極性は“Ｌ”であり、逆極性となっている。同様に、隣接パターン［４］でも、着目している映像信号線の映像信号ＤＡＴＡ（＋）の極性は“Ｌ”である一方、隣接する２ペア目の映像信号ＤＡＴＡ（−）の極性は“Ｈ”であり、逆極性となっている。このように、差動信号では、ある映像信号線に隣接する映像信号線の映像信号の極性のパターンは４種類ある。つまり、差動信号の映像信号ＤＡＴＡ（＋）と映像信号ＤＡＴＡ（−）とのペアの極性は、必ず逆極性になるので、隣接パターンは、上記の４種類となる。
【００１３】
上記の４種類の隣接パターンの信号が映像信号線５で伝送される場合、着目している映像信号線に伝送される映像信号ＤＡＴＡ（＋）の伝送電圧振幅は、各隣接パターンの影響により異なるものとなる。
以下、タイミングコントローラ４から出力される映像信号の電圧の振幅を「出力電圧振幅」、及び、実際に映像信号線５を経て伝送される映像信号の電圧の振幅を「実効電圧振幅」として説明する。
図１０中の隣接パターン［１］，［２］では、着目する映像信号線の映像信号と、同映像信号線に隣接する隣接ペアの映像信号線の映像信号とは、同極性であるため、それらの間での電位差が殆どなく、着目する映像信号線の映像信号の実効電圧振幅は、隣接ペアの映像信号線の影響を受けない。このため、出力電圧振幅と実効電圧振幅とは、同等の値となる。
【００１４】
一方、図１１中の隣接パターン［３］，［４］では、着目する映像信号線に隣接する隣接ペアの映像信号線の映像信号が互いに逆極性となってるため、電位差が発生し、着目する映像信号線の映像信号、すなわち、１ペア目のＤＡＴＡ（＋）、及び２ペア目のＤＡＴＡ（−）が、この電位差の影響による干渉を受け、その実効電圧振幅は出力電圧振幅よりも小さくなる。このように、ある映像信号線に伝送される映像信号の実効電圧振幅は、隣接する映像信号線に伝送される映像信号の干渉により、出力電圧振幅よりも小さくなることがあり、これが上記配線クロストークである。
【００１５】
上記図７の画像表示装置では、映像信号線５を経て伝送されるデータ信号ｖｊの実効電圧振幅が配線クロストークの影響によりデータドライバ３の入力振幅規格よりも下回ると、伝送エラーが発生するため、表示画面のちらつきなどの表示ノイズが発生するという課題がある。たとえば、上記図１１中の隣接パターン［３］，［４］では、配線クロストークの影響により、出力電圧振幅よりも実効電圧振幅が小さくなるので、表示ノイズが発生する可能性がある。この配線クロストークの影響の度合いは、入力される映像信号ｖｉの階調によって異なり、上記図１０に示すように、着目する映像信号線の映像信号と、その隣接ペアの映像信号線の映像信号との極性が同極性となる階調の映像信号ｖｉが入力された場合では、隣接ペアから受ける配線クロストークの影響はない。
【００１６】
このような課題に対して対策が行われた画像表示装置では、あらかじめタイミングコントローラにより出力電圧振幅が大きくなるように設定され、ある映像信号線が、隣接する映像信号線による配線クロストークの影響を受けても、映像信号の実効電圧振幅がデータドライバの入力振幅規格を下回らないようになっている。ところが、出力電圧振幅があらかじめ大きく設定されているため、消費電力が増大するという新たな課題が生じる。すなわち、配線クロストークの影響の度合いが大きく、実効電圧振幅が小さくなる場合では、実効電圧振幅がデータドライバの入力振幅規格を若干上回るように出力電圧振幅を設定しておくと、たとえば図１０中の階調パターン［１］，［２］のように、隣接する映像信号線の影響の度合いの小さい映像信号が入力された場合、実効電圧振幅が大きくなってデータドライバの入力振幅規格を必要以上に上回ることになり、無駄な電力が消費される。また、この場合、データドライバの入力振幅規格を必要以上に上回る実効電圧振幅は、ＥＭＩの増大を招くという課題もある。
【００１７】
図１２は、課題に対して対策が行われた画像表示装置の要部の電気的構成を示すブロック図である。
この画像表示装置は、同図１２に示すように、データドライバ１３1 ，１３2 ，…，１３M ，１３M+1 と、タイミングコントローラ１４と、映像信号線１５とを備え、図７中の走査ドライバ２及び表示パネル１と同様の、図示しない走査ドライバ及び表示パネルを有している。映像信号線１５は、図７中の映像信号線５と同様の構成になっている。タイミングコントローラ１４には、データ信号出力部１４ａ、映像信号処理部１４ｂ、伝送電圧振幅制御部１４ｃ、及び抵抗１４ｄが設けられている。映像信号処理部１４ｂは、映像信号ｖｉをデータドライバ１３1 ，１３2 ，…，１３M ，１３M+1 に入力可能な信号に並び替える。伝送電圧振幅制御部１４ｃは、抵抗１４ｄの抵抗値に基づいて、伝送電圧の振幅を設定し、データ信号出力部１４ａから出力されるデータ信号ｖｊの出力電圧振幅を調整する。抵抗１４ｄの抵抗値は、ＥＭＩ評価を行うことにより決定される。このＥＭＩ評価では、抵抗１４ｄの抵抗値を試行錯誤的に変えてＥＭＩ特性が測定され、同ＥＭＩ特性が最良になる抵抗値が決定される。
【００１８】
この画像表示装置では、映像信号ｖｉがタイミングコントローラ１４に入力され、映像信号処理部１４ｂにて信号処理されて入力信号ｖａが生成される。伝送電圧振幅制御部１４ｃにより、抵抗１４ｄの抵抗値に基づいて、伝送電圧の振幅が最適に設定され、データ信号出力部１４ａから出力電圧振幅が調整されたデータ信号ｖｊが出力される。データ信号ｖｊは、映像信号線１５を経てデータドライバ１３1 ，１３2 ，…，１３M ，１３M+1 へ伝送される。そして、表示パネルにて、映像信号ｖｉに対応した画像が表示される。
【００１９】
しかしながら、抵抗１４ｄの抵抗値がＥＭＩ評価の結果に基づいて決定され、映像信号線１５には、調整された出力電圧振幅に応じた実効電圧振幅でデータ信号ｖｊが伝送される。つまり、最終的に調整された出力電圧振幅は、入力される映像信号ｖｉによらず、固定値となる。ところが、タイミングコントローラ１４に入力される映像信号ｖｉは種々あり、同映像信号ｖｉの種類、つまり、表示パターンによって配線クロストークの影響の度合いが変化する。すなわち、映像信号ｖｉは、時々刻々変化し、これに応じて実効電圧振幅も時々刻々変化する。このため、出力電圧振幅が抵抗１４ｄに基づく固定値として決定されていると、映像信号線１５を経て伝送されるデータ信号ｖｊの実効電圧振幅は、映像信号ｖｉの変化に対応した効率的な振幅ではないことがある。
【００２０】
よって、この画像表示装置では、入力される映像信号ｖｉによっては、実効電圧振幅がデータドライバ１３1 ，１３2 ，…，１３M ，１３M+1 の入力振幅規格を必要以上に上回り、消費電力やＥＭＩの増大を招くこととなる。さらに、近年では、画像表示装置の大型化や高精細化が進展している。この技術の進展により映像信号線の数が増加し、消費電力やＥＭＩの増大が顕在化しているため、映像信号線に効率的な実効電圧振幅の映像信号を伝送することが望ましい。
【００２１】
上記の画像表示装置の他、この種の関連技術としては、たとえば、特許文献１に記載された液晶表示装置がある。
この液晶表示装置では、ドライバＩＣにより液晶パネルが駆動され、同液晶パネルで画像が表示される。集積回路は出力回路を有し、同出力回路は、上記ドライバＩＣに画像表示駆動用の論理信号を供給するために、同論理信号である表示信号及び転送クロックを出力制御する。特に、この集積回路では、上記出力回路の出力電流能力あるいは出力電圧の立上がり又は立下がり特性が、外部から可変可能に構成されている。この場合、外部から所定の電圧が印加されることにより、特性が可変される。あるいは、外部に所定の抵抗器が接続されることにより、特性が可変される。
【００２２】
また、特許文献２に記載された液晶ディスプレイのデータ駆動装置では、タイミングコントローラにより、外部から入力された画素データが整列され、抵抗分圧器でデータ電圧が低下され、複数のデータ伝送ラインに出力される。複数のデータ伝送ラインを経由して伝送されたデータ信号は、レベルシフトアレイで元来の駆動電圧に昇圧された後、データドライバでアナログ画素電圧信号に変換されてデータラインに供給される。これにより、ＥＭＩが低減される。
【先行技術文献】
【特許文献】
【００２３】
【特許文献１】特開平１１−１７４４０６号公報
【特許文献２】特開２００３−２０８１３４号公報
【発明の概要】
【発明が解決しようとする課題】
【００２４】
しかしながら、上記関連技術では、次のような課題があった。
すなわち、特許文献１に記載された液晶表示装置では、出力回路の出力電流能力あるいは出力電圧の立上がり又は立下がり特性が、外部から印加される電圧や、外部に接続される抵抗器により可変されるが、配線クロストークによる影響は考慮されていないので、上記の課題は解決されない。
【００２５】
特許文献２に記載されたデータ駆動装置では、ＥＭＩの低減のために、データ電圧が抵抗分圧器で低下され、データドライバの直前でレベルシフトアレイにより元来の駆動電圧に昇圧されるが、同抵抗分圧器や同レベルシフトアレイのようなレベル変換手段が必要となり、ハード構成が煩雑になるという課題がある。また、上記特許文献１と同様に、配線クロストークによる伝送電圧振幅の変化については考慮されていないため、外部からのノイズには弱いと考えられる。
【００２６】
この発明は、上述の事情に鑑みてなされたもので、映像信号が映像信号線を経て差動伝送方式で伝送されるときに、配線クロストークによる伝送エラーが回避される画像表示装置及び該画像表示装置に用いられる映像信号処理方法を提供することを目的としている。
【課題を解決するための手段】
【００２７】
上記課題を解決するために、この発明の第１の構成は、表示パネルと、与えられたデータ信号に基づいて前記表示パネルを駆動する駆動手段と、前記データ信号を伝送するためのデータ信号伝送線と、与えられた映像信号に基づいて前記データ信号を生成して前記データ信号伝送線を経て送出する表示制御手段とを有する画像表示装置に係り、前記駆動手段は、該駆動手段が正常に動作するための前記データ信号の電圧振幅の最小限の基準となる入力振幅規格が設定され、前記表示制御手段は、前記データ信号伝送線を構成する各信号線の間の配線クロストークによる影響の度合いを判定し、この判定結果に基づいて、前記データ信号の電圧振幅を、前記入力振幅規格よりも所定の値だけ上回るように調整する電圧振幅調整手段が設けられていることを特徴としている。
【００２８】
この発明の第２の構成は、表示パネルと、与えられたデータ信号に基づいて前記表示パネルを駆動する駆動手段と、前記データ信号を伝送するためのデータ信号伝送線と、与えられた映像信号に基づいて前記データ信号を生成して前記データ信号伝送線を経て送出する表示制御手段とを有する画像表示装置に用いられる映像信号処理方法に係り、前記駆動手段は、該駆動手段が正常に動作するための前記データ信号の電圧振幅の最小限の基準となる入力振幅規格が設定され、前記表示制御手段では、電圧振幅調整手段が、前記データ信号伝送線を構成する各信号線の間の配線クロストークによる影響の度合いを判定し、この判定結果に基づいて、前記データ信号の電圧振幅を、前記入力振幅規格よりも所定の値だけ上回るように調整する電圧振幅調整処理を行うことを特徴としている。
【発明の効果】
【００２９】
この発明の構成によれば、配線クロストークが抑制され表示ノイズが回避され、ＥＭＩが抑制されると共に消費電力が低減される画像表示装置を提供することができる。
【図面の簡単な説明】
【００３０】
【図１】この発明の第１の実施形態である画像表示装置の要部の電気的構成を示すブロック図である。
【図２】配線クロストークの影響と実効電圧振幅の制御を示す模式図である。
【図３】配線クロストークの影響と実効電圧振幅の制御を示す模式図である。
【図４】この発明の第２の実施形態である画像表示装置の要部の電気的構成を示すブロック図である。
【図５】この発明の第３の実施形態である画像表示装置の要部の電気的構成を示すブロック図である。
【図６】この発明の第４の実施形態である画像表示装置の要部の電気的構成を示すブロック図である。
【図７】関連する画像表示装置の構成図である。
【図８】ＲＳＤＳ信号の伝送フォーマットについて説明する図である。
【図９】映像信号線５を経て伝送されるデータ信号ｖｊの波形の例を示す図である。
【図１０】隣接する映像信号線を経て伝送されるデータ信号ｖｊから受ける配線クロストークの影響を示す模式図である。
【図１１】隣接する映像信号線を経て伝送されるデータ信号ｖｊから受ける配線クロストークの影響を示す模式図である。
【図１２】課題に対して対策が行われた画像表示装置の要部の電気的構成を示すブロック図である。
【発明を実施するための形態】
【００３１】
上記表示パネルは、所定列のデータ線、所定行の走査線、及び上記各データ線と上記各走査線との交差箇所に設けられている画素を有し、上記駆動手段は、与えられた第１の制御信号に基づいて、与えられたデータ信号に基づく画素データを上記各データ線に書き込むデータ線駆動回路と、与えられた第２の制御信号に基づいて、上記各走査線を所定の順序で駆動するための走査線駆動信号を出力する走査線駆動回路とから構成され、上記データ信号伝送線は、上記データ信号を差動伝送方式で伝送する構成とされ、上記表示制御手段は、与えられた映像信号に基づいて、上記データ線駆動回路に入力可能な入力信号を生成し、同データ線駆動回路に、上記第１の制御信号を与えると共に上記入力信号の電圧振幅を設定して上記データ信号として上記データ信号伝送線を経て送出する一方、上記走査線駆動回路に上記第２の制御信号を与える構成とされ、上記データ線駆動回路は、同データ線駆動回路が正常に動作するための上記データ信号の電圧振幅の最小限の基準となる入力振幅規格が設定され、上記電圧振幅調整手段は、上記表示制御手段で生成された上記入力信号に基づいて、上記データ信号伝送線を構成する各信号線の間の配線クロストークによる影響の度合いを所定のタイミング毎に判定し、この判定結果に基づいて、上記データ信号の電圧振幅を、上記入力振幅規格よりも所定の値だけ上回るように調整する構成とされている画像表示装置を提供する。
【００３２】
また、上記データ信号伝送線は、少なくとも上記映像信号の階調レベルの最大値に対応する数の信号線を有し、上記差動伝送方式に対応する互いに逆位相の上記データ信号を伝送する２本の隣接する上記信号線を１組の信号線組として、互いに隣接するように構成され、上記電圧振幅調整手段は、上記表示制御手段で生成された上記入力信号に基づいて、隣接する上記信号線組の間の配線クロストークによる影響の度合いを所定のタイミング毎に判定し、この判定結果に基づいて、上記データ信号の電圧振幅を、上記入力振幅規格よりも所定の値だけ上回るように調整する構成とされている。
【００３３】
また、上記電圧振幅調整手段は、上記データ信号の電圧振幅を、上記入力振幅規格を上回る近傍の値に調整する構成とされている。
また、上記電圧振幅調整手段は、隣接する上記信号線組の上記各信号線に伝送される上記各データ信号の論理レベルが異なる状態のとき、同論理レベルが同一になる状態のときと比較して、上記データ信号の電圧振幅を大きい値に調整する構成とされている。
また、上記電圧振幅調整手段は、上記入力信号に基づいて、隣接する上記信号線組の間の配線クロストークによる影響の度合いを所定のタイミング毎に判定する入力信号判定部と、同入力信号判定部による判定結果に基づいて、上記データ信号の電圧振幅を、上記入力振幅規格よりも所定の値だけ上回るように制御する伝送電圧振幅制御部と、同伝送電圧振幅制御部で電圧振幅が制御された上記データ信号を、上記データ信号伝送線を経て上記データ線駆動回路へ送出するデータ信号出力部とから構成されている。
【００３４】
また、上記入力信号判定部は、隣接する上記信号線組の間の配線クロストークによる影響の度合いを上記入力信号に基づいて所定のタイミング毎に判定するための判定条件があらかじめ記憶され、上記伝送電圧振幅制御部は、上記データ信号の電圧振幅を制御するための複数の制御用電圧振幅値があらかじめ保持され、上記データ信号の電圧振幅を、上記入力信号判定部による判定結果に基づいて、上記制御用電圧振幅値から選択して設定する電圧振幅値選択手段を有する。また、上記入力信号判定部は、上記判定条件を記憶する記憶手段を有し、同記憶手段が当該入力信号判定部に対して着脱可能な構成とされている。また、上記伝送電圧振幅制御部は、上記入力信号判定部による判定結果に基づいて、上記データ信号の電圧振幅を連続的に制御する電圧振幅値可変手段を有する。
【００３５】
また、上記データ信号伝送線を経て伝送される上記データ信号の上記データ線駆動回路の直近の電圧振幅である実効電圧振幅を検出し、同実効電圧振幅の値を実効電圧振幅値として出力する実効電圧振幅検出部が設けられ、上記電圧振幅調整手段は、上記実効電圧振幅検出部から出力される上記実効電圧振幅値が上記入力振幅規格よりも上回るか下回るかを所定のタイミング毎に判定する実効電圧振幅判定部と、同実効電圧振幅判定部による判定結果に基づいて、上記データ信号の電圧振幅を、上記入力振幅規格よりも所定の値だけ上回るように制御する伝送電圧振幅制御部と、同伝送電圧振幅制御部で電圧振幅が制御された上記データ信号を、上記データ信号伝送線を経て上記データ線駆動回路へ送出するデータ信号出力部とから構成されている。また、上記実効電圧振幅検出部は、上記データ線駆動回路の近傍に配置されて上記実効電圧振幅を検出し、同実効電圧振幅の値をアナログ／デジタル変換してデジタルの上記実効電圧振幅値を出力する構成とされている。上記配線クロストークによる影響の度合いは、上記データ信号伝送線を経て伝送される上記データ信号の電圧振幅の減衰の度合いである。
【実施形態１】
【００３６】
図１は、この発明の第１の実施形態である画像表示装置の要部の電気的構成を示すブロック図である。
この形態の画像表示装置は、同図に示すように、図１２の画像表示装置と同様に、データドライバ１３1 ，１３2 ，…，１３M ，１３M+1 と、映像信号線１５とを備え、また、図７中の走査ドライバ２及び表示パネル１と同様の、図示しない走査ドライバ及び表示パネルを有している。また、この画像表示装置には、図１２中のタイミングコントローラ１４に代えて、異なる機能を有するタイミングコントローラ２４が設けられている。タイミングコントローラ２４は、映像信号処理部２４ｂと、入力信号判定部２４ｄと、伝送電圧振幅制御部２４ｃと、データ信号出力部２４ａとから構成されている。
【００３７】
映像信号処理部２４ｂは、外部から与えられた映像信号ｖｉをデータドライバ１３1 ，１３2 ，…，１３M ，１３M+1 に入力可能な信号に並び替えて入力信号ｖａを生成する。入力信号判定部２４ｄは、映像信号処理部２４ｂで生成された入力信号ｖａに基づいて、映像信号線１５を構成する隣接する信号線組の間の配線クロストークによる影響の度合いを、たとえば１フレーム期間毎に判定し、判定結果ｓｊを出力する。特に、この実施形態では、入力信号判定部２４ｄは、映像信号線１５の隣接する信号線組の間の配線クロストークによる影響の度合いを入力信号ｖａに基づいて、たとえば１フレーム期間毎に判定するための判定条件があらかじめ記憶されている。上記配線クロストークによる影響の度合いは、映像信号線１５を経て伝送されるデータ信号ｖｊの電圧振幅の減衰の度合いである。この場合、入力信号判定部２４ｄは、配線クロストークが想定される映像信号線（たとえば、映像信号線１５の信号線が隣接しているなど）において、信号線にタイミングコントローラ２４から順次出力されるデータ信号の極性（“Ｈ”，“Ｌ”）と、同信号線に隣接し、同データ信号と同時に出力される隣接したデータ信号の極性との変化（すなわち、“Ｈ”，“Ｌ”の変化）を比較することにより、減衰の度合いを判定する。この極性の比較は、たとえば比較器などを用いることで実現される。
【００３８】
伝送電圧振幅制御部２４ｃは、入力信号判定部２４ｄによる判定結果ｓｊに基づいて、データ信号出力部２４ａから出力されるデータ信号ｖｊの電圧振幅を、データドライバ１３1 ，１３2 ，…，１３M ，１３M+1 の入力振幅規格よりも所定の値だけ上回る近傍の値（すなわち、データドライバ１３1 ，１３2 ，…，１３M ，１３M+1 の誤動作がない程度に極力小さくした値）になるように制御する。この場合、伝送電圧振幅制御部２４ｃは、隣接する信号線組の各信号線に伝送される各データ信号ｖｊの論理レベルが異なる状態のとき、論理レベルが同一になる状態のときと比較して、データ信号ｖｊの電圧振幅を大きい値に調整する。この場合、伝送電圧振幅制御部２４ｃは、データ信号ｖｊの電圧振幅を制御するための制御用電圧振幅値（振幅［Ａ］，［Ｂ］）があらかじめ保持され、データ信号ｖｊの電圧振幅を、入力信号判定部２４ｄによる判定結果ｓｊに基づいて、前記制御用電圧振幅値（振幅［Ａ］，［Ｂ］）からスイッチ２４ｓにより選択して設定する。データ信号出力部２４ａは、伝送電圧振幅制御部２４ｃで電圧振幅が制御されたデータ信号ｖｊを、映像信号線１５を経てデータドライバ１３1 ，１３2 ，…，１３M ，１３M+1 へ送出する。
【００３９】
伝送電圧振幅制御部２４ｃには、２種類の振幅を選択的に設定するためのスイッチ２４ｓが設けられているが、同スイッチ２４は、図１０中に示されている階調パターン［１］及び［２］、及び、図１１中で示されている階調パターン［３］及び［４］に対応して、２種類の振幅［Ａ］，［Ｂ］を選択するためのものである。ここで、振幅［Ａ］＜振幅［Ｂ］とする。映像信号線１５に伝送されるデータ信号ｖｊが、図１０中に示す階調パターン［１］及び階調パターン［２］となる状態（すなわち、映像信号処理部２４ｂで生成される入力信号ｖａの状態）の場合、入力信号判定部２４ｄは、配線クロストークの影響の度合いが小さいと判定し、その判定結果ｓｊによりスイッチ２４を制御し、２種類の振幅のうちの最も小さい振幅である振幅［Ａ］を選択し、データ信号出力部２４ａから振幅［Ａ］の値に対応したデータ信号ｖｊを出力する。一方、映像信号線１５に伝送されるデータ信号ｖｊが、図１１中に示す階調パターン［３］及び階調パターン［４］となる状態の場合、入力信号判定部２４ｄは、配線クロストークの影響の度合いが大きいと判定し、その判定結果ｓｊによりスイッチ２４を制御し、振幅［Ａ］よりも大きい振幅［Ｂ］を選択し、データ信号出力部２４ａから振幅［Ｂ］の値に対応したデータ信号ｖｊを出力する。
【００４０】
このように、入力される映像信号ｖｉに応じて配線クロストークの影響の度合いを判定し、その影響の度合いに応じた振幅値をスイッチ２４ｓで選択してデータ信号出力部２４ａから出力することにより、効率的な実効電圧振幅が得られる。ここで、効率的な実効電圧振幅値とは、データドライバ１３1 ，１３2 ，…，１３M ，１３M+1 の入力振幅規格を若干上回る実効電圧振幅値である。図１０及び図１１では、映像信号線１５に伝送されるデータ信号ｖｊがデジタル信号として模式的に示されている。このデータ信号ｖｊは、たとえば８ビットの階調データがデジタル信号とされ、かつ図８に示すＲＳＤＳ伝送のフォーマットに従ってビット順に配線された信号線で伝送される。特に、図１０中の１ペア目及び２ペア目の映像信号線については、データ信号出力部２４ａから出力されたデータ信号の電圧振幅が表され、１ペア目のＤＡＴＡ（−）については、隣接する映像信号線に伝送されるデータ信号から受ける影響を考慮した実効電圧振幅が示されている。
【００４１】
図２及び図３は、配線クロストークの影響と実効電圧振幅の制御を示す模式図である。
これらの図、図１０及び図１１を参照して、この形態の画像表示装置に用いられる映像信号処理方法の処理内容について説明する。
この画像表示装置では、タイミングコントローラ２４の映像信号処理部２４ｂで生成された入力信号ｖａに基づいて、隣接する信号線組の間の配線クロストークによる影響の度合いがたとえば１フレーム期間毎に判定され、この判定結果に基づいて、データ信号ｖｊの電圧振幅が、データドライバ１３1 ，１３2 ，…，１３M ，１３M+1 の入力振幅規格よりも所定の値だけ上回るように調整される（電圧振幅調整処理）。この電圧振幅調整処理では、タイミングコントローラ２４により、データ信号ｖｊの電圧振幅が、データドライバ１３1 ，１３2 ，…，１３M ，１３M+1 の誤動作がない程度に極力小さくした値に調整される。この場合、タイミングコントローラ２４により、隣接する信号線組の各信号線に伝送される各データ信号の論理レベルが異なる状態のとき、論理レベルが同一になる状態のときと比較して、データ信号の電圧振幅が大きい値に調整される。
【００４２】
すなわち、電圧振幅調整処理では、入力信号判定部２４ｄにより、入力信号ｖａに基づいて、隣接する信号線組の間の配線クロストークによる影響の度合いがたとえば１フレーム期間毎に判定される（入力信号判定処理）。伝送電圧振幅制御部２４ｃにより、入力信号判定部２４ｄによる判定結果ｓｊに基づいて、データ信号ｖｊの電圧振幅が、入力振幅規格よりも所定の値だけ上回るように制御される（伝送電圧振幅制御処理）。データ信号出力部２４ａにより、伝送電圧振幅制御部２４ｃで電圧振幅が制御されたデータ信号ｖｊが、映像信号線１５を経てデータドライバ１３1 ，１３2 ，…，１３M ，１３M+1 送出される（データ信号出力処理）。
【００４３】
この場合、入力信号判定部２４ｄでは、隣接する信号線組の間の配線クロストークによる影響の度合いを入力信号ｖａに基づいてたとえば１フレーム期間毎に判定するための判定条件があらかじめ記憶されている。伝送電圧振幅制御部２４ｃにより、データ信号ｖｊの電圧振幅を制御するための複数の制御用電圧振幅値があらかじめ保持され、データ信号ｖｊの電圧振幅が、入力信号判定部２４ｄによる判定結果ｓｊに基づいて、上記制御用電圧振幅値から選択されて設定される（電圧振幅値選択処理）。上記配線クロストークによる影響の度合いは、映像信号線１５を経て伝送されるデータ信号ｖｊの電圧振幅の減衰の度合いである。
【００４４】
また、図１０に示すように、入力される映像信号ｖｉの階調が１７９階調（階調パターン［１］）、つまり、デジタル信号が“ＨＬＨＨＬＬＨＨ”（“１０１１００１１”）である場合、着目する映像信号線の極性と、その隣接ペアのＤＡＴＡ（−）の極性は、共に“Ｈ”であり、同極性となり、また、映像信号ｖｉの階調が１４０階調（階調パターン［２］）の場合も、共に“Ｌ”であり、同極性となる。
【００４５】
よって、着目する映像信号線の実効電圧振幅は、隣接ペアからの配線クロストークを受けないため、伝送されるデータ信号ｖｊの影響の度合いは最も小さくなる。このため、タイミングコントローラ２４のデータ信号出力部２４ａから出力されるデータ信号ｖｊの出力電圧振幅と実効電圧振幅は等しくなる。この配線クロストークの影響の度合いが最も小さい場合の実効電圧振幅がデータドライバ１３1 ，１３2 ，…，１３M ，１３M+1 の入力振幅規格以上で、かつ極力小さくなる（すなわち、入力振幅規格よりも若干上回る値）ように、データ信号ｖｊの出力電圧振幅をあらかじめ設定する。以下の説明では、データドライバ１３1 ，１３2 ，…，１３M ，１３M+1 の入力振幅規格よりも若干上回る振幅を「基準電圧振幅］という。
【００４６】
また、図１１に示すように、映像信号ｖｉの階調が１９１階調（階調パターン［３］）、つまり、デジタル信号が“ＨＬＨＨＨＨＨＨ”（“１０１１１１１１”）である場合、着目する映像信号線の極性は“Ｈ”であり、一方、その隣接ペアのＤＡＴＡ（−）の極性が“Ｌ”であるため、逆極性となり、同様に、１２８階調（階調パターン［４］）、つまり、デジタル信号が“ＨＬＬＬＬＬＬＬ”（“１０００００００”）である場合、着目する映像信号線の極性は“Ｌ”であり、その隣接ペアのＤＡＴＡ（−）の極性が“Ｈ”であるため、逆極性となる。このため、着目している映像信号線に伝送されるデータ信号は、隣接ペアのＤＡＴＡ（−）の干渉を受け、同データ信号の実効電圧振幅は、タイミングコントローラ２４のデータ信号出力部２４ａから出力されるデータ信号ｖｊの出力電圧振幅よりも小さくなる。  この実施形態では、映像信号線１５を構成する信号線に伝送されるデータ信号の実効電圧振幅が、同信号線に隣接する信号線に伝送されるデータ信号による干渉を受けて変化しても、その変化（干渉の程度の変化）に応じて、タイミングコントローラ２４のデータ信号出力部２４ａから出力されるデータ信号ｖｊの出力電圧振幅が大きい振幅となるように切り替えられ、実効電圧振幅が基準電圧振幅と同じになるように制御される。
【００４７】
図２では、入力される映像信号ｖｉに応じてタイミングコントローラ２４の出力電圧振幅を切り替え、どのような映像信号ｖｉが入力されても、実効電圧振幅がデータドライバ１３1 ，１３2 ，…，１３M ，１３M+1 の入力振幅規格よりも若干上回る振幅とする制御が模式的に示されている。
すなわち、配線クロストークによる影響の度合いが小さいパターン［１］の場合の基準電圧振幅が設定され、影響の度合いが大きくなったとき、データ信号ｖｊの出力電圧振幅を制御しない場合は、実効電圧振幅が点線ＰＬに示すように小さくなるが、パターン［１］より大きい振幅に切り替えることにより、基準電圧振幅と等しくなる。
【００４８】
以上をまとめると、映像信号線１５を構成する信号線に伝送されるデータ信号が同信号線に隣接する信号線に伝送されるデータ信号から受ける影響の度合いが最も小さくなる階調パターン［１］あるいは階調パターン［２］となる状態では、データドライバ１３1 ，１３2 ，…，１３M ，１３M+1 の入力振幅規格以上で、かつ極力小さくなる（入力振幅規格よりも若干上回る値）ように、データ信号ｖｊの出力電圧振幅が設定される。一方、階調パターン［３］あるいは［４］となる状態では、映像信号線１５を構成する信号線に伝送されるデータ信号が同信号線に隣接する信号線に伝送されるデータ信号から干渉を受けるので、この干渉によって低下する電圧をあらかじめ加味した大きな振幅に切り替えることにより、データ信号ｖｊの出力電圧振幅が基準電圧振幅と等しくなるように設定される。
【００４９】
このように、この画像表示装置は、タイミングコントローラ２４に入力される映像信号ｖｉによって、出力電圧振幅を切り替えるものであるため、入力信号判定部２４ｄと伝送電圧振幅制御部２４ｃとが設けられている。入力信号判定部２４ｄでは、映像信号処理部２４ｂで生成された入力信号ｖａに対応するデータ信号ｖｊの映像信号線１５で受ける干渉の程度が、映像信号ｖｉが入力されるタイミング毎（たとえば、１フレーム期間毎）に判定される。映像信号ｖｉが入力されるタイミング毎に判定する理由は、たとえば、ある一時点において１９１階調の信号が入力され、その後に１７９階調の信号が入力された場合、時間毎にに干渉の程度が異なるためである。なお、データ信号ｖｊが受ける干渉の程度は、事前の波形評価（すなわち、各種映像信号を入力し、実際の実効電圧振幅の変化の程度を、あらかじめ波形で確認しておく評価）により、あらかじめ算出できるので、その情報をタイミングコントローラ２４の入力信号判定部２４ｄに保持しておくことで、データ信号ｖｊの干渉の程度に応じた電圧振幅に切り替えられる。当然のことながら、タイミング毎に判定された結果、たとえば、出力電圧振幅を大きく変えた場合、次のタイミングでの判定も大きくするという判定であれば、上記次のタイミングでは振幅を変更する必要はない。つまり、前の判定条件と異なる判定が出たタイミングで、出力電圧振幅を変更すれば良い。
【００５０】
そして、入力信号判定部２４ｄで判定された入力信号ｖａは、伝送電圧振幅制御部２４ｃで干渉の程度に応じて大きな振幅となるように振幅の切り替え指示が与えられ、その指示に従ってデータ信号ｖｊの出力電圧振幅が設定され、この出力電圧振幅が基準電圧振幅となるように設定されてデータ信号出力部２４ａから同データ信号ｖｊが出力される。これにより、どのような映像信号ｖｉがタイミングコントローラ２４に入力されても、映像信号線１５に伝送されるデータ信号ｖｊの実効電圧振幅を基準電圧振幅とすることができる。
【００５１】
なお、データ信号ｖｊの出力電圧振幅は、階調パターン［１］（あるいは、階調パターン［２］）用と、階調パターン［３］（あるいは階調パターン［４］）用にあらかじめ少なくとも２種類の振幅のパターン（以下、「振幅パターン」という）を用意しておく必要があるが、用意しておく振幅パターンは、２種類に限定されず、Ｎパターン（Ｎ；２以上の整数）としても良い。この場合、入力信号判定部２４ｄにて配線クロストークの影響度合いを判定し、たとえば、着目している信号線の片隣から影響を受けるか両隣から影響を受けるかなど、着目している信号線に伝送されるデータ信号の実効電圧振幅がデータドライバの入力振幅規格よりも若干上回るような振幅となるように、複数の振幅パターンの中から最適な振幅を選択し、その振幅パターンへ切り替えれば良い。振幅を切り替える際には、各映像信号線毎に切り替えても良いし、また、あるブロック毎に複数本ずつ纏めて切り替えても良い。
【００５２】
また、図３に示すように、配線クロストークによる影響の度合いが大きいパターン［２］の場合の基準電圧振幅が設定され、影響の度合いが大きくなったとき、データ信号ｖｊの出力電圧振幅を制御しない場合は、配線クロストークによる影響の度合いが小さいときの実効電圧振幅が点線ＱＬに示すように大きくなるが、パターン［２］より小さい振幅に切り替えることにより、基準電圧振幅と等しくなる。このように、入力される映像信号ｖｉに応じてタイミングコントローラ２４の出力電圧振幅が切り替えられ、どのような映像信号ｖｉが入力されても、実効電圧振幅がデータドライバ１３1 ，１３2 ，…，１３M ，１３M+1 の入力振幅規格よりも若干上回る振幅となるように制御される。
【００５３】
ここで、この画像表示装置の表示パネルが、たとえばＳＸＧＡ（Super eXtended Graphics Array 、１２８０×１０２４画素）の解像度を有し、８ビットのデータ信号ｖｊがＲＳＤＳ伝送にてデータドライバ１３1 ，１３2 ，…，１３M ，１３M+1 へ伝送される場合、  ＲＳＤＳ伝送の差動信号線のペアの数は、１ペアのクロック線と１２ペアのデータ線との合計１３ペアが２ポートあるので、伝送ペア数は総計２６ペアとなる。このとき、２６ペアの伝送電圧の振幅を１ｍＶ低減した場合、消費電流は０．６ｍＡ程度低減するという例がある。映像信号線１５の信号線の数が増えれば、それに比例して消費電流が増加するため、伝送電圧の振幅は、極力小さくした方が良い。
【００５４】
以上のように、この第１の実施形態では、映像信号処理部２４ｂで生成された入力信号ｖａに基づいて、隣接する信号線組の間の配線クロストークによる影響の度合いがたとえば１フレーム期間毎に判定され、この判定結果ｓｊに基づいて、データ信号ｖｊの電圧振幅が、データドライバ１３1 ，１３2 ，…，１３M ，１３M+1 の入力振幅規格よりも所定の値だけ上回るように調整されるので、配線クロストークによる表示ノイズの低減、ＥＭＩの低減及び消費電力の低減が全て可能となる。
【実施形態２】
【００５５】
図４は、この発明の第２の実施形態である画像表示装置の要部の電気的構成を示すブロック図である。
この形態の画像表示装置では、同図４に示すように、図１中のタイミングコントローラ２４に代えて、異なる構成のタイミングコントローラ２４Ａが設けられている。タイミングコントローラ２４Ａでは、図１中の入力信号判定部２４ｄに代えて、異なる機能を有する入力信号判定部２４ｇが設けられている。入力信号判定部２４ｇには、同入力信号判定部２４ｇに対して着脱可能な外部ＲＯＭ２４ｈが接続されている。この外部ＲＯＭ２４ｈには、映像信号線１５の隣接する信号線組の間の配線クロストークによる影響の度合いを入力信号ｖａに基づいてたとえば１フレーム期間毎に判定するための判定条件があらかじめ記憶されている。
【００５６】
すなわち、映像信号線１５のうちの着目する信号線（すなわち、図１１中の１ペア目のＤＡＴＡ（＋））は、同信号線に隣接する信号線（２ペア目のＤＡＴＡ（−））による影響だけではなく、そのさらに遠方に隣接する信号線の影響も受けることがあり、たとえば、２ペア目のＤＡＴＡ（＋）による影響である。また、着目する信号線は、さらに、その隣の３ペア目や４ペア目の信号線の影響も受けることがある他、データ信号ｖｊを伝送するプリント基板が複数層で構成される場合には、隣接層（たとえば、プリント基板の１層目と２層目）などによるの影響を受けることもある。つまり、配線クロストークは、映像信号線１５を構成する信号線の近傍に隣接する信号線による影響だけではなく、隣接する信号線のさらに隣の信号線、上層及び下層に位置する信号線による影響によっても発生する。このように、配線クロストークによる影響の度合いは、映像信号線１５の配線レイアウト（配置順、パターン間隔、層間距離など）の条件で変化する。よって、配線クロストークによる影響の度合いに対応した判定条件を外部ＲＯＭ２４ｈに記憶させておくことにより、配線クロストークの影響の度合いが変化した場合でも、この変化に対応した判定条件が記憶されている外部ＲＯＭ２４ｈに交換することにより、データ信号ｖｊの電圧振幅が、配線クロストークの影響の度合いに応じて必要な値に設定される。
【００５７】
この画像表示装置では、外部ＲＯＭ２４ｈが設けられているので、配線クロストークによる影響の度合いに対応した判定条件を外部から変更でき、たとえば、プリント基板の映像信号線の配線レイアウトに応じて、入力信号判定部２４ｇでの判定基準が容易に変更されて最適化される。
【実施形態３】
【００５８】
図５は、この発明の第３の実施形態である画像表示装置の要部の電気的構成を示すブロック図である。
この形態の画像表示装置では、同図５に示すように、図１中のタイミングコントローラ２４に代えて、異なる構成のタイミングコントローラ２４Ｂが設けられている。タイミングコントローラ２４Ｂでは、図１中の伝送電圧振幅制御部２４ｃに代えて、異なる構成の伝送電圧振幅制御部２４ｅが設けられている。伝送電圧振幅制御部２４ｅには、電子ボリューム２４ｆが接続されている。電子ボリューム２４ｆは、入力信号判定部２４ｄによる判定結果ｓｊに基づいて抵抗値が可変される。伝送電圧振幅制御部２４ｅは、電子ボリューム２４ｆの抵抗値に基づいて、データ信号ｖｊの出力電圧振幅を連続的に制御する。他は、図１と同様の構成である。
【００５９】
ここで、電子ボリューム２４ｆとデータ信号ｖｊの出力電圧振幅との関係について説明する。
図１２の画像表示装置では、タイミングコントローラ１４に抵抗１４ｄが設けられ、出力電圧振幅が設定される。この抵抗１４ｄの抵抗値を変えることにより、出力電圧振幅が変化する。通常では、抵抗１４ｄの抵抗値を決定すると、出力電圧振幅は抵抗値に応じて固定値となるが、電子ボリュームを用いると、同電子ボリュームに判定結果ｓｊを送ることで、都度抵抗値を可変することができる。これを利用して、たとえば、配線クロストークの影響度合いを入力信号判定部２４ｄにて判定し、判定結果ｓｊを電子ボリューム２４ｆに伝送することにより抵抗値が決まり、それに応じた出力電圧振幅値が出力される。上記判定結果ｓｊは、たとえば、配線クロストークの影響度合いが大きい場合は“１”、影響度合いが小さい場合は“０”など、また、入力信号ｖａのビット数を増やせば、それに応じて細かい値が得られる。
【００６０】
この画像表示装置では、入力信号判定部２４ｄによる判定結果ｓｊに基づいて、電子ボリューム２４ｆの抵抗値が可変され、この抵抗値に基づいて、伝送電圧振幅制御部２４ｅでデータ信号ｖｊの出力電圧振幅が連続的に制御される（伝送電圧振幅制御処理）。これにより、どのような映像信号ｖｉが入力されても、データ信号ｖｊの出力電圧振幅が基準電圧振幅となるように制御され、第１の実施形態と同様に、配線クロストークによる表示ノイズの低減、ＥＭＩの低減及び消費電力の低減が全て可能となる。
【実施形態４】
【００６１】
図６は、この発明の第４の実施形態である画像表示装置の要部の電気的構成を示すブロック図である。
この形態の画像表示装置では、同図６に示すように、図１中のタイミングコントローラ２４に代えて、異なる構成のタイミングコントローラ２４Ｃが設けられ、また、新たに実効電圧振幅検出部２５が設けられている。タイミングコントローラ２４Ｃでは、図１中の入力信号判定部２４ｄが削除され、伝送電圧振幅制御部２４ｃに代えて、異なる機能が付加された伝送電圧振幅制御部２４ｈが設けられ、また、実効電圧振幅判定部２４ｉが設けられている。実効電圧振幅検出部２５は、Ａ／Ｄ（アナログ／デジタル）変換器で構成され、特に、この実施形態では、データドライバ１３1 ，１３2 ，…，１３M ，１３M+1 の近傍に配置されている。この実効電圧振幅検出部２５は、映像信号線１５を経て伝送されるデータ信号ｖｊのデータドライバ１３1 ，１３2 ，…，１３M ，１３M+1 の直近の電圧振幅である実効電圧振幅を検出し、同実効電圧振幅の値をＡ／Ｄ変換してデジタルの実効電圧振幅値ｖｇとして出力する。
【００６２】
実効電圧振幅判定部２４ｉは、実効電圧振幅検出部２５から出力される実効電圧振幅値ｖｇがデータドライバ１３1 ，１３2 ，…，１３M ，１３M+1 の入力振幅規格よりも上回るか下回るかを、たとえば１フレーム期間毎に判定して判定結果ｕｊを出力する。伝送電圧振幅制御部２４ｈは、実効電圧振幅判定部２４ｉによる判定結果ｕｊに基づいて、データ信号ｖｊの電圧振幅（実効電圧振幅）を、データドライバ１３1 ，１３2 ，…，１３M ，１３M+1 の入力振幅規格よりも所定の値だけ上回るように制御する。データ信号出力部２４ａは、伝送電圧振幅制御部２４ｈで電圧振幅が制御されたデータ信号ｖｊを、映像信号線１５を経てデータドライバ１３1 ，１３2 ，…，１３M ，１３M+1 へ送出する。他は、図１と同様の構成である。
【００６３】
この画像表示装置では、映像信号線１５を経て伝送されるデータ信号ｖｊの電圧振幅が、データドライバ１３1 ，１３2 ，…，１３M ，１３M+1 の直近で実効電圧振幅検出部２５により実効電圧振幅として検出され、同実効電圧振幅の値がＡ／Ｄ変換されてデジタルの実効電圧振幅値ｖｇとして出力される。実効電圧振幅値ｖｇは、実効電圧振幅判定部２４ｉにより、データドライバ１３1 ，１３2 ，…，１３M ，１３M+1 の入力振幅規格よりも上回るか下回るかが判定され、判定結果ｕｊが出力される（実効電圧振幅判定処理）。上記実効電圧振幅値ｖｇの伝送経路は、映像信号線１５からの配線クロストークの影響を受けない位置に設けられている。これにより、実効電圧振幅検出部２５と実効電圧振幅判定部２４ｉとの間で映像信号線１５からの配線クロストークの影響を受けず、同実効電圧振幅判定部２４ｉで誤判定されることはない。伝送電圧振幅制御部２４ｈにより、実効電圧振幅判定部２４ｉによる判定結果ｕｊに基づいて、データ信号ｖｊの電圧振幅（実効電圧振幅）が、上記入力振幅規格よりも所定の値だけ上回るように制御される（伝送電圧振幅制御処理）。伝送電圧振幅制御部２４ｈで電圧振幅が制御されたデータ信号ｖｊは、データ信号出力部２４ａにより、映像信号線１５を経てデータドライバ１３1 ，１３2 ，…，１３M ，１３M+1 へ送出される（データ信号出力処理）。
【００６４】
以上のように、この第４の実施形態では、第１の実施形態とは異なる構成で、配線クロストークによる表示ノイズの低減、ＥＭＩの低減及び消費電力の低減が全て可能となる。
【００６５】
以上、この発明の実施形態を図面により詳述してきたが、具体的な構成は同実施形態に限られるものではなく、この発明の要旨を逸脱しない範囲の設計の変更などがあっても、この発明に含まれる。
たとえば、映像信号線１５に伝送されるデータ信号ｖｊは、８ビットの階調データに限定されない。また、第３の実施形態を示す図５中の入力信号判定部２４ｄに代えて、第２の実施形態を示す図４中の入力信号判定部２４ｇを設け、外部ＲＯＭ２４ｈを接続しても良い。また、第４の実施形態では、データドライバ１３1 ，１３2 ，…，１３M ，１３M+1 の近傍に配置されている実効電圧振幅検出部２５は、１つに限らず、同各ドライバ毎に設置して各実効電圧振幅値ｖｇを検出し、各出力電圧振幅を制御しても良い。この場合、検出した実効電圧振幅の中で最も小さい実効電圧振幅値が検出された部分を基準にして出力電圧振幅を制御することで、表示ノイズを回避することができる。
【００６６】
また、図１及び図５中の入力信号判定部２４ｄ、及び図４中の入力信号判定部２４ｇは、配線クロストークによる影響の度合いを１フレーム期間毎に判定しているが、たとえば１水平期間毎や、Ｎクロック毎（Ｎ；１以上の自然数）に判定する構成としても良い。
また、図６中の実効電圧振幅判定部２４ｉは、実効電圧振幅検出部２５から出力される実効電圧振幅値ｖｇがデータドライバ１３1 ，１３2 ，…，１３M ，１３M+1 の入力振幅規格よりも上回るか下回るかを１フレーム期間毎に判定しているが、たとえば１水平期間毎や、Ｎクロック毎（Ｎ；１以上の自然数）に判定する構成としても良い。
【産業上の利用可能性】
【００６７】
この発明は、液晶表示装置に限らず、たとえばプラズマ表示装置など、入力される映像信号に対応するデータ信号が映像信号線（データ信号伝送線）を経て差動伝送方式でデータドライバへ伝送される構成の画像表示装置全般に適用できる。
【符号の説明】
【００６８】
１      表示パネル
１ａ      走査線
１ｂ      データ線
２      走査ドライバ（走査線駆動回路）
１３1 ，１３2 ，…，１３M ，１３M+1 データドライバ（データ線駆動回路）
１５      映像信号線（データ信号伝送線）
２４，２４Ａ，２４Ｂ，２４Ｃ      タイミングコントローラ（表示制御手段）
２４ｂ      映像信号処理部
２４ｄ，２４ｇ      入力信号判定部（電圧振幅調整手段の一部）
２４ｃ，２４ｅ，２４ｈ      伝送電圧振幅制御部（電圧振幅調整手段の一部）
２４ａ      データ信号出力部（電圧振幅調整手段の一部）
２４ｈ      外部ＲＯＭ（記憶手段）
２４ｆ      電子ボリューム（電圧振幅値可変手段）
２４ｉ      実効電圧振幅判定部
２４ｓ      スイッチ（電圧振幅値選択手段）
２５      実効電圧振幅検出部
【図１】
2011043775.tif 000003
【図２】
2011043775.tif 000004
【図３】
2011043775.tif 000005
【図４】
2011043775.tif 000006
【図５】
2011043775.tif 000007
【図６】
2011043775.tif 000008
【図７】
2011043775.tif 000009
【図８】
2011043775.tif 000010
【図９】
2011043775.tif 000011
【図１０】
2011043775.tif 000012
【図１１】
2011043775.tif 000013
【図１２】
2011043775.tif 000014